(57)【要約】【課題】トグルリンク機構を用いた電動式の縦型射出成形機において、型開閉メカニズム系のボールネジ機構の取り外しを、簡単に行えるようにすること。【解決手段】最下段に型開閉用サーボモータを搭載したテールストックを配置し、該テールストックの上側に可動側金型を搭載した上下動可能な可動プレートを配置し、該可動ダイプレートの上側に固定側金型を搭載した固定ダイプレートを配置して、テールストックと可動ダイプレートとを連結するトグルリンク機構を、型開閉用サーボモータの回転を直線運動に変換するボールネジ機構により駆動することによって、可動ダイプレートを上下動させる縦型射出成形機において、ボールネジ機構の回転部が回転可能に保持される保持部材を、テールストックから上方に抜去可能として、ボールネジ機構と保持部材とが一体化された部材を、テールストックから上方に取り外し可能であるようにする。【選択図】      図１
2005022152.tif 000002
【特許請求の範囲】
【請求項１】
最下段に型開閉用サーボモータを搭載したテールストックを配置し、該テールストックの上側に可動側金型を搭載した上下動可能な可動プレートを配置し、該可動ダイプレートの上側に固定側金型を搭載した固定ダイプレートを配置して、前記テールストックと前記可動ダイプレートとを連結するトグルリンク機構を、前記型開閉用サーボモータの回転を直線運動に変換するボールネジ機構により駆動することによって、前記可動ダイプレートを上下動させる縦型射出成形機において、
前記ボールネジ機構の回転部が回転可能に保持される保持部材を、前記テールストックから上方に抜去可能として、前記ボールネジ機構と前記保持部材とが一体化された部材を、前記テールストックから上方に取り外し可能としたことを特徴とする縦型射出成形機。
【請求項２】
請求項１記載の縦型射出成形機において、
前記ボールネジ機構の回転部には、前記保持部材が嵌る前記テールストックの貫通穴の最小径よりも小径のプーリが固定され、該プーリと前記ボールネジ機構と前記保持部材とが一体化された部材を、前記テールストックから上方に取り外し可能としたことを特徴とする縦型射出成形機。
【請求項３】
請求項２記載の縦型射出成形機において、
前記ボールネジ機構の直線運動部には、該直線運動部と前記トグルリンク機構とを連結するクロスヘッドが固定され、該クロスヘッドと前記プーリと前記ボールネジ機構と前記保持部材とが一体化された部材を、前記テールストックから上方に取り外し可能としたことを特徴とする縦型射出成形機。
【発明の詳細な説明】
【０００１】
【発明の属する技術分野】
本発明は、トグルリンク機構をボールネジ機構によって駆動することにより、可動ダイプレートを上下動させる縦型の射出成形機に係り、特に、型開閉系メカニズム中のボールネジ機構の取り外しを容易にした縦型の射出成形機に関する。
【０００２】
【従来の技術】
型開閉メカニズム系にトグルリンク機構を用いた電動式の射出成形機においては、テールストックと可動ダイプレートとを連結するトグルリンク機構を、型開閉用のサーボモータの回転を直線運動に変換するボールネジ機構により駆動して、可動ダイプレートを前後進させるようになっている。このような、射出成形機においては、メンテナンスなどの際の型開閉メカニズム系のボールネジ機構の取り外しは、マシンの外方側へボールネジ機構を引き出すことによって行われるようになっていた。
【０００３】
ここで、可動ダイプレートが水平方向に移動する横型の射出成形機においては、テールストックに保持されたボールネジ機構を、マシンの外方側へ水平に引き出すことにより、比較的容易にボールネジ機構を取り外すことが可能である。
【０００４】
これに対して、可動ダイプレートが上下方向に移動する縦型の射出成形機においては、テールストックが最下段に位置し、テールストックとマシンの設置床面とが近接しているため、マシン全体を大型のジャッキなどを用いて大きくリフトアップして、テールストックとマシンの設置床面との間に所定量の距離を確保し、この状態で、ボールネジ機構をマシンの外方側へ垂直に引き下ろさなければならなかった。
【０００５】
【発明が解決しようとする課題】
上述したように、トグルリンク機構を用いた従来の電動式の縦型射出成形機においては、型開閉メカニズム系のボールネジ機構の取り外しや、修理あるいは交換したボールネジ機構の取り付けを行うためには、マシン全体をジャッキなどによりリフトアップしなければならず、大がかりな手間と時間のかかる作業を余儀なくされ、ボールネジ機構のメンテナンス作業が非常に面倒なものとなっていた。さらに、マシン全体をリフトアップするので事故の生じる虞もあり、また、マシンの設置場所によっては天井の高さからくる制約で、マシン全体をリフトアップすることができないケースも生じた。
【０００６】
本発明は上記の点に鑑みなされたもので、その目的とするところは、トグルリンク機構を用いた電動式の縦型射出成形機において、型開閉メカニズム系のボールネジ機構の取り外し作業や、修理あるいは交換したボールネジ機構の取り付け作業が、簡単・容易に行えるメンテナンス作業性に優れたマシンを提供することにある。
【０００７】
【課題を解決するための手段】
本発明は上記した目的を達成するために、最下段に型開閉用サーボモータを搭載したテールストックを配置し、該テールストックの上側に可動側金型を搭載した上下動可能な可動プレートを配置し、該可動ダイプレートの上側に固定側金型を搭載した固定ダイプレートを配置して、前記テールストックと前記可動ダイプレートとを連結するトグルリンク機構を、前記型開閉用サーボモータの回転を直線運動に変換するボールネジ機構により駆動することによって、前記可動ダイプレートを上下動させる縦型射出成形機において、
前記ボールネジ機構の回転部が回転可能に保持される保持部材を、前記テールストックから上方に抜去可能として、前記ボールネジ機構と前記保持部材とが一体化された部材を、前記テールストックから上方に取り外し可能であるように、構成する。
【０００８】
【発明の実施の形態】
以下、本発明の実施の形態を、図面を用いて説明する。
図１は、本発明の第１実施形態に係る縦型射出成形機の要部構成を示す図である。
【０００９】
図１において、３は、設置床面１に適宜のアンカー部材２等を介して固設されたテールストック、４は、複数本のタイバー５によってテールストック３と連結された固定ダイプレート、６は固定ダイプレート４に搭載された固定側金型、７は、テールストック３と固定ダイプレート４との間に位置し、タイバー５に挿通・案内されて上下動可能な可動ダイプレート、８は可動ダイプレート７に搭載された可動側金型である。
【００１０】
また、９はテールストック３に搭載された型開閉用サーボモータ、１０は型開閉用サーボモータ９の出力軸に固着された出力プーリ、１１は、ボールネジ軸１２とナット体１３とからなり、型開閉用サーボモータ９の回転を直線運動に変換するボールネジ機構、１４は、ボールネジ機構１１の回転部（ここではボールネジ軸１２）を回転可能に保持し、テールストック３にネジ止めなどによって取り付けられた保持部材、１５は、ボールネジ軸１２の下端部に固着され、出力プーリ１０と図示せぬタイミングベルトによってベルト結合されたプーリ、１６は、ボールネジ機構１１の直線運動部（ここではナット体）に固着されたクロスヘッド、１７は、ボールネジ軸１２の上端部に回転可能に抜け止め・保持されて、クロスヘッド１６の脱去を防止する抜け止め部材である。
【００１１】
また、１８は、Ａリンク１９とＢリンク２０とＣリンク２１とからなり、テールストック３と可動ダイプレート７とを連結するトグルリンク機構である。Ａリンク１９の一端は可動ダイプレート７に回転可能にピン結合され、Ｂリンク２０の一端はテールストック３に回転可能にピン結合され、Ａリンク１９の他端とＢリンク２０の他端とＣリンク２１の一端とが互いに回転可能であるようにピン結合され、Ｃリンク２１の他端がクロスヘッド１６に回転可能であるようにピン結合されている。本実施形態では、トグルリンク機構１８は３組が等間隔に（１２０度間隔で）設けられており、各トグルリンク機構１８のＣリンク２１の他端が、それぞれクロスヘッド１６にピン２２によって脱着可能なように取り付けられている。
【００１２】
図１に示す構成において、型開閉用サーボモータ９の回転は、出力プーリ１０、図示せぬタイミングベルト、プーリ１５を介して、ボールネジ機構１１のボールネジ軸１２に伝えられ、ボールネジ軸１２の回転は該ボールネジ軸１２に螺合したナット１３により直線運動に変換されて、このナット１３と一体となって直線運動する（上下動する）クロスヘッド１６によって、トグルリンク機構１８が折り畳みもしくは伸張するように駆動されて、これにより、可動ダイプレート７が下降駆動（型開き駆動）もしくは上昇駆動（型閉じ駆動）されるようになっている。なお、図１では、型締め状態が示されている。
【００１３】
本実施形態では、ボールネジ機構１１の回転部（ボールネジ軸１２）を回転可能に保持した前記保持部材１４は、ネジなどの固定手段を取り外すことによって、テールストック３の上方側へ取り外し（抜き出し）可能になっており、このとき、同時に各トグルリンク機構１８のＣリンク２１をクロスヘッド１６に結合した各ピン２２を抜き去ることによって、ボールネジ機構１１とクロスヘッド１６と抜け止め部材１７と保持部材１４とプーリ１５とが一体となったブロックＡを、テールストック３の上方側へ取り外しできるようにしてある。
【００１４】
このため、本実施形態では、ボールネジ機構１１のボールネジ軸１２の下端部に固着されたプーリ１５の外径を、保持部材１４が嵌るテールストックの貫通穴の最小径部の内周径よりも小さなものにしてある。さらに、図１に示すように、トグルリンク機構１８が伸びきった状態におけるテールストック３の上面と可動ダイプレート７の下面との間の距離Ｌ１を、上記のブロックＡの全長Ｌ２よりも大きくなるようにしてあり、かつ、トグルリンク機構１８が伸びきった状態で、可動ダイプレート７の位置を保持する公知のドロップバーなどのロック機構が設けてある。
【００１５】
したがって、メンテナンス時などにボールネジ機構１１を取り外す必要が生じたときには、図１に示すようにトグルリンク機構１８が伸びきった状態にして、このときの可動ダイプレート７の位置をロック機構で保持し、然る後、保持部材１４をテールストック３に固定しているネジなどを取り外すと共に、トグルリンク機構１８のＣリンク２１をクロスヘッド１６に結合しているピン２２を取り外せば、ボールネジ機構１１とクロスヘッド１６と抜け止め部材１７と保持部材１４とプーリ１５とが一体となったブロックＡを、テールストック３の上方側の空間に取り出すことができる。
【００１６】
このような構成をとる本実施形態においては、従来のようにマシン全体をジャッキなどによりリフトアップしなくても、ボールネジ機構１１とクロスヘッド１６と抜け止め部材１７と保持部材１４とプーリ１５とが一体となったブロックＡを、簡単に取り外すことができ、型開閉メカニズム系中のボールネジ機構の取り外し作業や、修理あるいは交換したボールネジ機構の取り付け作業が、簡単・容易に行えるメンテナンス作業性に優れたマシンを実現することができる。
【００１７】
図２は、本発明の第２実施形態に係る縦型射出成形機の要部構成を示す図であり、同図において、図１の第１実施形態の構成と均等なものには同一符号を付し、その説明は重複を避けるため割愛する。図２において、２３は、その一端を保持部材１４に植設・固定され、他端を抜け止め部材１７に固着されたガイドバーである。
【００１８】
本実施形態が前記第１実施形態と相違するのは、保持部材１４に、クロスヘッド１６を挿通・案内するガイドバー２３を設けた点にあり、本実施形態では、ボールネジ機構１１とクロスヘッド１６と抜け止め部材１７と保持部材１４とプーリ１５とガイドバー２３とが一体となったブロックＡ’を、テールストック３の上方側へ取り外しできるようにしてあり、その他の構成は第１実施形態と同様である。
【００１９】
このような構成をとる本実施形態においても、前記第１実施形態と同様の効果を奏する。
【００２０】
なお、上述した実施形態においては、ボールネジ機構の回転部をボールネジ軸とし、直線運動部をナット体としたが、ボールネジ機構の回転部をナット体とし、直線運動部をボールネジ軸とした構成であっても、本発明は適用可能である。
【００２１】
【発明の効果】
以上のように本発明によれば、トグルリンク機構を用いた電動式の縦型射出成形機において、型開閉メカニズム系のボールネジ機構の取り外し作業や、修理あるいは交換したボールネジ機構の取り付け作業が、簡単・容易に行えるメンテナンス作業性に優れたマシンを提供することができる。
【図面の簡単な説明】
【図１】本発明の第１実施形態に係る縦型射出成形機の要部構成図である。
【図２】本発明の第２実施形態に係る縦型射出成形機の要部構成図である。
【符号の説明】
１  設置床面
２  アンカー部材
３  テールストック
４  固定ダイプレート
５  タイバー
６  固定側金型
７  可動ダイプレート
８  可動側金型
９  型開閉用サーボモータ
１０  出力プーリ
１１  ボールネジ機構
１２  ボールネジ軸
１３  ナット体
１４  保持部材
１５  プーリ
１６  クロスヘッド
１７  抜け止め部材
１８  トグルリンク機構
１９  Ａリンク
２０  Ｂリンク
２１  Ｃリンク
２２  ピン
２３  ガイドバー
Ａ、Ａ’  ブロック
【図１】
2005022152.tif 000003
【図２】
2005022152.tif 000004